(57)【要約】【課題】媒体が巻き取られた巻取体の外周面が支持された状態で保持される場合に、媒体の損傷を押さえることができる。【解決手段】媒体（Ｓ）が筒状に巻き取られた巻取体（１１）を保持する保持具本体（２）と、保持具本体（２）に支持され且つ巻取体（１１）の重力方向の下端に対応する位置に配置され、巻取体（１１）に接触して支持する第１の支持部材（４ａ）と、巻取体（１１）の周方向に対して第１の支持部材（４ａ）からずれた位置において保持具本体（２）に支持され、且つ、第１の支持部材（４ａ）よりも弾性率が高い第２の支持部材（４ｂ）と、を備えたことを特徴とする保持具（１）。【選択図】図２
2018043846.tif 000002
【特許請求の範囲】
【請求項１】
媒体が筒状に巻き取られた巻取体を保持する保持具本体と、
前記保持具本体に支持され、且つ、前記巻取体の重力方向の下端に対応する位置に配置され、前記巻取体に接触して支持する第１の支持部材と、
前記巻取体の周方向に対して前記第１の支持部材からずれた位置において前記保持具本体に支持され、且つ、前記第１の支持部材よりも弾性率が高い第２の支持部材と、
を備えたことを特徴とする保持具。
【請求項２】
前記第２の支持部材とは異なる色を有する前記第１の支持部材、
を備えたことを特徴とする請求項１に記載の保持具。
【請求項３】
前記第１の支持部材および前記第２の支持部材を支持する面が円弧状に形成された前記保持具本体、
を備えたことを特徴とする請求項１または２に記載の保持具。
【発明の詳細な説明】
【技術分野】
【０００１】
本発明は、保持具に関する。
【背景技術】
【０００２】
媒体が筒状に巻き取られた巻取体、いわゆるロール紙を使用する機器において、ロール紙を取り扱う技術に関して、以下の特許文献１，２に記載の技術が知られている。
【０００３】
特許文献１としての特開２０１０−０５８９４９号公報には、ロール紙（１）の両端部を支持する受け部材（３）の受け面を半円筒状に形成する技術が記載されている。
特許文献２としての特開２０１３−００１５１４号公報には、ロール紙（１６）を軸方向の両側から支持部（１０）で挟み込んで支持する技術が記載されている。
【先行技術文献】
【特許文献】
【０００４】
【特許文献１】特開２０１０−０５８９４９号公報（「００２０」〜「００２２」、図２、図６）
【特許文献２】特開２０１３−００１５１４号公報（「００２４」〜「００３２」）
【発明の概要】
【発明が解決しようとする課題】
【０００５】
本発明は、媒体が巻き取られた巻取体の外周面が支持された状態で保持される場合に、媒体の損傷を押さえることを技術的課題とする。
【課題を解決するための手段】
【０００６】
前記技術的課題を解決するために、請求項１に記載の発明の保持具は、
媒体が筒状に巻き取られた巻取体を保持する保持具本体と、
前記保持具本体に支持され、且つ、前記巻取体の重力方向の下端に対応する位置に配置され、前記巻取体に接触して支持する第１の支持部材と、
前記巻取体の周方向に対して前記第１の支持部材からずれた位置において前記保持具本体に支持され、且つ、前記第１の支持部材よりも弾性率が高い第２の支持部材と、
を備えたことを特徴とする。
【０００７】
請求項２に記載の発明は、請求項１に記載の保持具において、
前記第２の支持部材とは異なる色を有する前記第１の支持部材、
を備えたことを特徴とする。
【０００８】
請求項３に記載の発明は、請求項１または２に記載の保持具において、
前記第１の支持部材および前記第２の支持部材を支持する面が円弧状に形成された前記保持具本体、
を備えたことを特徴とする。
【発明の効果】
【０００９】
請求項１に記載の発明によれば、媒体が巻き取られた巻取体の外周面が支持された状態で保持される場合に、媒体の損傷を押さえることができる。
請求項２に記載の発明によれば、第１の支持部材の色が同一の場合に比べて、重力方向の下端の位置を視認しやすくできる。
請求項３に記載の発明によれば、保持具本体の面が円弧状でない場合に比べて、支持部材の高さを低くでき、製造費用を低減できる。
【図面の簡単な説明】
【００１０】
【図１】図１は実施例１の画像形成装置の全体説明図である。
【図２】図２は実施例１の保持具の説明図であり、図２Ａは巻取体を保持した状態の説明図、図２Ｂは保持具のみの説明図である。
【発明を実施するための形態】
【００１１】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１２】
図１は実施例１の画像形成装置の全体説明図である。
図１において、本発明の実施例１の画像形成装置Ｕは、画像形成部の一例であって、記録部の一例としてのプリンタ部Ｕ１を有する。プリンタ部Ｕ１の上部左側には、入力部の一例としての操作部ＵＩが支持されている。前記操作部ＵＩは、操作者が入力をして、画像形成装置Ｕの操作が可能である。
また、プリンタ部Ｕ１には、画像情報の送信装置の一例としてのパーソナルコンピュータＰＣから送信された画像情報が入力可能に構成されている。
画像形成装置Ｕの制御部Ｃは、パーソナルコンピュータＰＣから入力された画像情報を、潜像形成用の画像情報に変換する。
前記プリンタ部Ｕ１は、像保持体の一例としてＹ：イエロー、Ｍ：マゼンタ、Ｃ：シアン、Ｋ：黒の各色用の感光体Ｐｙ，Ｐｍ，Ｐｃ，Ｐｋを有する。
【００１３】
図１において、黒色の感光体Ｐｋの周囲には、感光体Ｐｋの回転方向に沿って、帯電器ＣＣｋ、潜像の形成装置の一例としての露光機ＲＯＳｋ、現像器Ｇｋ、一次転写器の一例としての一次転写ロールＴ１ｋ、像保持体用の清掃器の一例としての感光体クリーナＣＬｋが配置されている。
他の感光体Ｐｙ，Ｐｍ，Ｐｃの周囲にも同様に、帯電器ＣＣｙ，ＣＣｍ，ＣＣｃ、露光機ＲＯＳｙ，ＲＯＳｍ，ＲＯＳｃ、現像器Ｇｙ，Ｇｍ，Ｇｃ、一次転写ロールＴ１ｙ，Ｔ１ｍ，Ｔ１ｃ、感光体クリーナＣＬｙ，ＣＬｍ，ＣＬｃが配置されている。
プリンタ部Ｕ１の上部には、収容容器の一例として、現像器Ｇｙ〜Ｇｋに補給される現像剤が収容されたトナーカートリッジＫｙ，Ｋｍ，Ｋｃ，Ｋｋが着脱可能に支持されている。
【００１４】
各感光体Ｐｙ〜Ｐｋの下方には、中間転写体の一例であって、像保持体の一例としての中間転写ベルトＢが配置されており、中間転写ベルトＢは、感光体Ｐｙ〜Ｐｋと一次転写ロールＴ１ｙ〜Ｔ１ｋとの間に挟まれる。中間転写ベルトＢの裏面は、駆動部材の一例としてのドライブロールＲｄと、張力付与部材の一例としてのテンションロールＲｔと、蛇行防止部材の一例としてのウォーキングロールＲｗと、従動部材の一例としての複数のアイドラロールＲｆと、２次転写用の対向部材の一例としてのバックアップロールＴ２ａと、前記一次転写ロールＴ１ｙ〜Ｔ１ｋにより支持されている。
中間転写ベルトＢの表面には、ドライブロールＲｄの近傍に、中間転写体の清掃器の一例としてのベルトクリーナＣＬＢが配置されている。
【００１５】
バックアップロールＴ２ａには、中間転写ベルトＢを挟んで、転写部材の一例であって、２次転写部材の一例としての２次転写ロールＴ２ｂが対向して配置されている。なお、実施例１の２次転写ロールＴ２ｂは、付勢部材の一例としての図示しないバネによりバックアップロールＴ２ａに向けて押し当てられている。
【００１６】
また、バックアップロールＴ２ａには、バックアップロールＴ２ａに現像剤の帯電極性とは逆極性の電圧を印加するために、接触部材の一例としてのコンタクトロールＴ２ｃが接触している。
前記バックアップロールＴ２ａ、２次転写ロールＴ２ｂ、コンタクトロールＴ２ｃにより、実施例１の２次転写器Ｔ２が構成されており、一次転写ロールＴ１ｙ〜Ｔ１ｋ、中間転写ベルトＢ、２次転写器Ｔ２等により、実施例１の転写装置Ｔ１，Ｂ，Ｔ２が構成されている。
【００１７】
プリンタ部Ｕ１の左側下部には、媒体の供給装置の一例としての給紙装置Ｕ２が配置されている。給紙装置Ｕ２は、巻取体の一例としての供給ロールＵ２ａを有する。実施例１の供給ロールＵ２ａは、回転軸を中心として回転可能に構成されている。供給ロールＵ２ａには、連続媒体の一例としての連続紙Ｓが、巻かれた状態で支持されている。実施例１の連続紙Ｓは、基層の一例としての剥離紙に対して、粘着層を介して、画像形成層の一例としてのラベル用紙が剥離可能に貼り付けられたものを使用している。
【００１８】
供給ロールＵ２ａの右方には、案内部材の一例としてのガイドロールＵ２ｂが配置されている。また、ガイドロールＵ２ｂの右方には、連続紙Ｓの搬送方向に沿って、媒体の搬送部材の一例としての搬送ロールＲａ，Ｒｂが配置されている。連続紙Ｓの搬送方向に対して、搬送ロールＲｂの下流側には、中間転写ベルトＢと２次転写ロールＴ２ｂとが対向する２次転写領域Ｑ４が配置されている。
【００１９】
また、連続紙の搬送方向に対して、２次転写領域Ｑ４の下流側には、定着装置Ｆが配置されている。定着装置Ｆは、加熱用の定着部材の一例としての加熱ロールＦｈと、加圧用の定着部材の一例としての加圧ロールＦｐとを有する。加熱ロールＦｈと加圧ロールＦｐとの接触領域により定着領域Ｑ５が構成されている。
プリンタ部Ｕ１の右側下部には、媒体の巻取り装置Ｕ３が配置されている。巻取り装置Ｕ３は、巻取体の一例として、画像形成後の連続紙Ｓが巻き取られた巻取りロールＵ３ａを有する。巻取りロールＵ３ａの回転軸は、巻取モータＭ３で駆動される。
【００２０】
（プリンタ部の機能の説明）
前記画像形成装置Ｕでは、パーソナルコンピュータＰＣから送信された画像情報を受信すると、画像形成動作であるジョブが開始される。ジョブが開始されると、感光体Ｐｙ〜Ｐｋや中間転写ベルトＢ等が回転する。
感光体Ｐｙ〜Ｐｋは、図示しない駆動源により回転駆動される。
帯電器ＣＣｙ〜ＣＣｋは、予め設定された電圧が印加されて、感光体Ｐｙ〜Ｐｋの表面を帯電させる。
露光機ＲＯＳｙ〜ＲＯＳｋは、制御部Ｃからの制御信号に応じて、潜像を書き込む光の一例としてのレーザー光Ｌｙ，Ｌｍ，Ｌｃ，Ｌｋを出力して、感光体Ｐｙ〜Ｐｋの帯電された表面に静電潜像を書き込む。
現像器Ｇｙ〜Ｇｋは、感光体Ｐｙ〜Ｐｋの表面の静電潜像を可視像に現像する。
【００２１】
一次転写ロールＴ１ｙ〜Ｔ１ｋは、現像剤の帯電極性とは逆極性の一次転写電圧が印加され、感光体Ｐｙ〜Ｐｋの表面の可視像を中間転写ベルトＢの表面に転写する。
感光体クリーナＣＬｙ〜ＣＬｋは、一次転写後に感光体Ｐｙ〜Ｐｋの表面に残留した現像剤を除去して清掃する。
中間転写ベルトＢは、感光体Ｐｙ〜Ｐｋに対向する一次転写領域を通過する際に、Ｙ，Ｍ，Ｃ，Ｋの順に、画像が転写されて積層され、２次転写器Ｔ２に対向する２次転写領域Ｑ４を通過する。なお、単色画像の場合は、１色のみの画像が転写されて２次転写領域Ｑ４に送られる。
【００２２】
搬送ロールＲａは、供給ロールＵ２ａから延びる連続紙Ｓを下流側に搬送する。搬送ロールＲｂは、連続紙Ｓを２次転写領域Ｑ４に案内する。
２次転写器Ｔ２は、コンタクトロールＴ２ｃを介してバックアップロールＴ２ａに予め設定された現像剤の帯電極性と同極性の２次転写電圧が印加され、連続紙Ｓに中間転写ベルトＢの画像を転写する。
定着装置Ｆは、加熱ロールＦｈと加圧ロールＦｐとが接触する定着領域Ｑ５を通過する連続紙Ｓを加圧しながら加熱して、連続紙Ｓの表面の未定着画像を定着する。
巻取りロールＵ３ａは、画像が定着後の連続紙Ｓを巻き取る。
【００２３】
（ロール紙の保持具の説明）
図２は実施例１の保持具の説明図であり、図２Ａは巻取体を保持した状態の説明図、図２Ｂは保持具のみの説明図である。
図２において、実施例１の保持具１は、保持具の本体の一例としてのベース部２を有する。ベース部２は上面２ａが部分円弧状に形成されている。また、ベース部２の下面には、移動部材の一例としてのキャスター３が支持されている。
ベース部２の上面２ａには、支持部材の一例としての弾性体４が複数支持されている。弾性体４は、供給ロールＵ２ａや巻取りロールＵ３ａのようなロール紙１１の外周面を支持する。
【００２４】
前記弾性体４は、第１の支持部材の一例として、ロール紙１１の下端に対応する位置に配置された第１の弾性体４ａを有する。第１の弾性体４ａの両外側には、第２の支持部材の一例としての第２の弾性体４ｂが配置されている。第２の弾性体４ｂの両外側には、第３の支持部材の一例としての第３の弾性体４ｃが配置されている。実施例１の各弾性体４ａ〜４ｃは、ロール紙１１の軸方向に延びる延べ棒状に形成されている。また、各弾性体４ａ〜４ｃの間は、隙間が形成されている。
実施例１の各弾性体４ａ〜４ｃは、一例として、発泡ウレタンゴムで構成されている。そして、第１の弾性体４ａの弾性率が第２の弾性体の弾性率よりも低く、第２の弾性体４ｂの弾性率が第３の弾性体の弾性率よりも低くなるように、ウレタンゴムの発泡率が設定されている。したがって、実施例１では、弾性体４ａ〜４ｃの中で内側のものほど軟らかく、外側のものほど硬く構成されている。
【００２５】
また、実施例１の各弾性体４ａ〜４ｃの中で、第１の弾性体４ａは、他の弾性体４ｂ，４ｃとは異なる色に着色されている。
各弾性体４ａ〜４ｃにより、実施例１の弾性体４が構成されている。
【００２６】
（実施例１の保持具の作用）
前記構成を備えた保持具１では、ロール紙１１が保持された場合、ロール紙１１の外周面が弾性体４ａ〜４ｃで保持される。このとき、ロール紙１１の重さで各弾性体４ａ〜４ｃが圧縮されるように弾性変形する。なお、各弾性体４ａ〜４ｃの隙間は、圧縮された各弾性体４ａ〜４ｃが入り込むことが可能とするために形成されている。
ここで、特許文献１に記載の技術のように、弾性体が設けられていない構成では、弧状の面に直接ロール紙の外周面が接触することとなる。この場合、自重で下端部に最大の力が作用する。特に、弧状の受け部の形状にしても、受け部の全体で均等に力を受けることはできず、下端部に作用する力が大きくなりやすい。ロール紙に局所的に力が作用すると、ロール紙１１にダメージが発生する恐れがある。例えば、印刷後のロール紙の場合、ロール紙が十分に冷えていないと、トナーの粘弾性が低い。したがって、圧力がかかる部分のトナーの表面に凹凸ができてしまい、グロス差のある画像となってしまう。また、例えば、印刷前のロール紙の場合、ロール紙が粘着層を有するラベル紙の場合、圧力がかかる部分で粘着剤が幅方向端部からはみ出してしまう恐れがある。
【００２７】
これらに対して、実施例１の保持具１の弾性体４では、下端部の第１の弾性体４ａが最も軟らかく、外側に行くほど硬くなっている。したがって、ロール紙１１の下端に力が作用しようとしても、軟らかい第１の弾性体４ａが沈み込み、且つ、硬い外側の弾性体４ｂ，４ｃが荷重を受ける形となる。したがって、特許文献１に記載の構成に比べて、ロール紙１１のダメージが低減される。よって、画質欠陥や粘着剤のはみ出しといった不具合を避けることが可能となる。
【００２８】
なお、特許文献２に記載の技術のように、画像形成装置Ｕの外部でロール紙を保管しておく際に、外周面ではなく軸方向の両側から保持することも考えられる。ここで、ロール紙１１は、例えば、直径５０〜６０ｃｍで６０ｋｇ程度となる。この重量物を軸方向から保持して、下端を浮かせた状態で保持するには、保持具に強度が必要となる。すなわち、保持具の製造費用が高くなる問題がある。また、保持具が転倒した場合に、重量物が人や物品に衝突すると事故が発生する恐れもある。
これに対して、実施例１では、ロール紙１１を弾性体４で支持した状態で保管可能であり、浮かせる必要がない。よって、特許文献２に記載の技術に比べて、製造費用を低減可能であり、事故の心配も低減される。また、ロール紙１１の移動もキャスター３で容易に可能である。
【００２９】
さらに、実施例１では、第１の弾性体４ａが着色されている。したがって、作業者が弾性体４の中央、センターを容易に視認可能である。したがって、第１の弾性体４ａが着色されていない場合に比べて、第１の弾性体４ａを中心としてロール紙１１を設置しやすくなる。
【００３０】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ06）を下記に例示する。
（Ｈ01）前記実施例において、画像形成装置の一例としてのプリンタを例示したが、これに限定されず、複写機、ＦＡＸ、あるいはこれら複数の機能を備えた複合機等に適用可能である。また、Ｙ，Ｍ，Ｃ，Ｋの４色の画像形成装置を提示したが、これに限定されず、単色の画像形成装置や３色以下または５色以上の画像形成装置とすることも可能である。また、タンデム型の画像形成装置を例示したが、ローターリ式の画像形成装置にも適用可能である。
【００３１】
（Ｈ02）前記実施例において、弾性体４ａ〜４ｃの弾性率を変える方法として発泡率を変える構成を例示したがこれに限定されない。例えば、弾性体４ａ〜４ｃの間で異なる材料を使用することも可能であるし、ゴム中の硫黄（Ｓ）の量を変化させる等、任意の方法で弾性率を変えることが可能である。また、材料もウレタンゴムに限定されず、緩衝性能のある任意の材料を使用可能である。
（Ｈ03）前記実施例において、弾性体４ａ〜４ｃを個別に構成する場合を例示したが、これに限定されない。例えば、周方向で接続された一体の構成とすることも可能である。この場合、１つの部材の中で、連続的に弾性率が異なって行く構成とすることも可能である。また、弾性体４ａ〜４ｃを合計で５つ有する構成を例示したが、これに限定されない。４つ以下や６つ以上とすることも可能である。また、下端を支持する第１の弾性体４ａも１つで構成する場合に限定されず、一対の第１の弾性体４ａで支持する構成とすることも可能である。
【００３２】
（Ｈ04）前記実施例において、第１の弾性体４ａの色を変える構成とすることが望ましいが、各弾性体４ａ〜４ｃで色が同一の構成とすることも可能である。
（Ｈ05）前記実施例において、ベース部２の上面２ａを円弧状とする構成を例示したが、これに限定されない。平面状とすることも可能である。ただし、平面状とすると、外側の弾性体ほど、高さが必要となり材料費が上昇するため、円弧状のほうが望ましい。なお、本願明細書において、「円弧状」とは、連続する曲面により構成された完全な円弧だけでなく、円弧を多角形で近似した形状（円弧の接線を複数繋げた内接多角形や外接多角形）を使用する場合も含むものとする。
（Ｈ06）前記実施例において、キャスター３を設けることが望ましいが、設けない構成とすることも可能である。
【符号の説明】
【００３３】
１…保持具、
２…保持具本体、
２ａ…支持する面、
４ａ…第１の支持部材、
４ｂ…第２の支持部材、
１１…巻取体、
Ｓ…媒体。
【図１】
2018043846.tif 000003
【図２】
2018043846.tif 000004